(57)【要約】【課題】カバー部に対する不用意な力によりフック部との間が開かれないようにしながら、操作力の低減を可能にする。【解決手段】フック本体部１７に設けたフック部１９及びフック部１９に付勢係合してフック部１９との間を開閉可能に閉じるカバー部２１を有したフック連結具１３と、タング本体部５１の先端にフック部１９に係合させるタング部５３を備えたタング連結具１５とを備え、フック部１９に係合させたタング部５３の離脱をカバー部２１により阻止するハーネス連結装置１であって、フック本体部１７とカバー部２１との間に、カバー部２１のフック部１９に対する閉じ位置での回転をロックすると共にカバー部２１の回転とは異なった移動操作でロック解除可能なロック機構６５を設けたことを特徴とする。【選択図】図２
2009286352.tif 000002
【特許請求の範囲】
【請求項１】
一方のハーネスへ結合するフック本体部に設けたフック部及び前記フック本体部に回転可能に支持され前記フック部に付勢係合して該フック部との間を開閉可能に閉じるカバー部を有したフック連結具と、
他方のハーネスへ結合するタング本体部の先端に前記フック部に係合させるタング部を備えたタング連結具とを備え、
前記フック部に係合させたタング部の離脱を前記カバー部により阻止するハーネス連結装置であって、
前記フック本体部とカバー部との間に、前記カバー部のフック部に対する閉じ位置での回転をロックすると共にカバー部の前記回転とは異なった移動操作でロック解除可能なロック機構を設けた、
ことを特徴とするハーネス連結装置。
【請求項２】
請求項１記載のハーネス連結装置であって、
前記ロック機構は、
前記カバー部を、前記閉じ位置から付勢力に抗しロック解除位置へ移動可能に支持する移動構造と、
前記カバー部又はフック本体部の一方に形成され前記閉じ位置で他方に係合し前記フック本体部に対するカバー部の回転を阻止する係止部と、
前記カバー部又はフック本体部の他方に形成され前記カバー部のロック解除位置で前記係止部の係合を解除して前記フック本体部に対するカバー部の回転を許容する係止解除部と、
を備えたことを特徴とするハーネス連結装置。
【請求項３】
請求項１又は２記載のハーネス連結装置であって、
前記カバー部をフック部に対し付勢係合させる付勢力と前記カバー部の前記ロック解除位置への移動に抗する付勢力とを共通の弾性部材により発生させる、
ことを特徴とするハーネス連結装置。
【請求項４】
請求項３記載のハーネス連結装置であって、
前記弾性部材は、前記カバー部の回転軸に取り付けられた一対のトルク・スプリングであり、
前記トルク・スプリングの各一方のアーム部は前記フック本体部に前記回転方向に係合し他方のアーム部は相互に結合されて該結合部が前記カバー部に前記回転方向及びロック解除位置への移動方向へ抗して係合し、
前記カバー部がロック解除位置へ移動するとき前記他方のアーム部の湾曲弾性変形により前記ロック解除位置への移動に抗する付勢力を発生させる、
ことを特徴とするハーネス連結装置。
【請求項５】
請求項３記載のハーネス連結装置であって、
前記弾性部材は、前記カバー部の回転軸に取り付けられた一対のトルク・スプリングであり、
前記トルク・スプリングの各一方のアーム部は前記フック本体部に前記回転方向に係合し他方のアーム部はＵ字状に形成されて前記カバー部に前記回転方向に係合すると共にＵ字状の先端がロック解除位置への移動方向へ抗して係合し、
前記カバー部がロック解除位置へ移動するとき前記他方のアーム部のＵ字を潰す方向に弾性変形して前記ロック解除位置への移動に抗する付勢力を発生させる、
ことを特徴とするハーネス連結装置。
【請求項６】
請求項１〜５の何れかに記載のハーネス連結装置であって、
前記カバー部に、前記タング連結具により操作可能とする段部を設けた、
ことを特徴とするハーネス連結装置。
【発明の詳細な説明】
【技術分野】
【０００１】
本発明は、パラシュート等に供されるハーネス連結装置に関する。
【背景技術】
【０００２】
従来、この種のハーネス連結装置としては、特許文献１に記載のようなパラシュートに適用したものがある。
【０００３】
図５は、従来のハーネス連結装置を示す正面図である。このハーネス連結装置１０１は、フック連結具１０３及びタング連結具１０５を備えている。フック連結具１０３は、フック本体部１０７にフック部１０９とカバー部１１１とが設けられている。
【０００４】
カバー部１１１は、基部側がフック本体部１０７に支持されカバー部１１１とフック本体１０７とに取付けたスプリングの弾性力により先端部１１３がフック部１０９に付勢係合して該フック部１０９との間を開閉可能に閉じている。
【０００５】
従って、カバー部１１１をスプリングの弾性力に抗して回転させフック本体部１０７に対し押圧することでフック部１０９との間を開くことができ、フック部１０９にタング連結具１０５を係合させることができる。
【０００６】
この係合状体でフック本体部１０７に対するカバー部１１１の押圧を解除すればカバー部１１１はスプリングの弾性力により復帰して先端部１１３がフック部１０９に付勢係合して該フック部１０９との間を開じ、フック部１０９に係合させたタング連結具１０５の離脱をカバー部１１１により阻止することができる。
【０００７】
しかし、このような従来構造では、カバー部１１１に不用意な力が働くとカバー部１１１が回転してフック部１０９との間が開かれる恐れがあるため、スプリングの弾性力を強く設定し、不用意な力ではカバー部１１１が回転しないようにする必要があった。
【０００８】
このため、カバー部１１１を押圧操作してフック部１０９との間を開こうとするとき、操作力が大きく、操作性に問題があった。
【０００９】
【特許文献１】特開２００３−３２７１９９号公報
【発明の開示】
【発明が解決しようとする課題】
【００１０】
解決しようとする問題点は、カバー部に対する不用意な力によりフック部との間が開かれないようにするため、カバー部の操作力が大きく、操作性に問題があった点である。
【課題を解決するための手段】
【００１１】
本発明は、カバー部に対する不用意な力によりフック部との間が開かれないようにしながら、操作力の低減を可能にするため、一方のハーネスへ結合するフック本体部に設けたフック部及び前記フック本体部に回転可能に支持され前記フック部に付勢係合して該フック部との間を開閉可能に閉じるカバー部を有したフック連結具と、他方のハーネスへ結合するタング本体部の先端に前記フック部に係合させるタング部を備えたタング連結具とを備え、前記フック部に係合させたタング部の離脱を前記カバー部により阻止するハーネス連結装置であって、前記フック本体部とカバー部との間に、前記カバー部のフック部に対する閉じ位置での回転をロックすると共にカバー部の移動操作でロック解除可能なロック機構を設けたことを最も主要な特徴とする。
【発明の効果】
【００１２】
本発明のハーネス連結装置は、一方のハーネスへ結合するフック本体部に設けたフック部及び前記フック本体部に回転可能に支持され前記フック部に付勢係合して該フック部との間を開閉可能に閉じるカバー部を有したフック連結具と、他方のハーネスへ結合するタング本体部の先端に前記フック部に係合させるタング部を備えたタング連結具とを備え、前記フック部に係合させたタング部の離脱を前記カバー部により阻止するハーネス連結装置であって、前記フック本体部とカバー部との間に、前記カバー部のフック部に対する閉じ位置での回転をロックすると共にカバー部の移動操作でロック解除可能なロック機構を設けた。
【００１３】
このため、カバー部がフック部との間を閉じる閉じ位置ではロック機構によりカバー部の回転がロックされて、カバー部に不用意な力が働いてもカバー部は回転せず、フック部に対する閉じ位置を維持することができる。
【００１４】
カバー部の前記回転とは異なった移動操作でロック機構によるロックを解除し、カバー部を回転させてフック部との間を開き、タング連結具をフック連結具から外すことができる。
【００１５】
従って、カバー部の回転操作及び移動操作に抗する付勢力は、カバー部のフック部に対する閉じ位置の維持から切り離すことができ、付勢力を低減し、カバー部の操作を容易に行わせることもできる。
【発明を実施するための最良の形態】
【００１６】
カバー部に対する不用意な力によりフック部との間が開かれないようにしながら、操作力の低減を可能にするという目的を、カバー部の移動操作でロック解除可能なロック機構により実現した。
【実施例１】
【００１７】
［ハーネス連結装置の構造］
図１〜図４は、本発明の実施例１に係り、図１は、ハーネス連結装置を適用したパラシュートを人に装着した状態の概略図、図２（ａ）は、ハーネス連結装置の正面図、（ｂ）は、ハーネス連結装置の側面図、図３（ａ）は、ハーネス連結装置の要部を断面にしたタング連結具離脱状態の正面図、（ｂ）は、ハーネス連結装置の要部を断面にしたタング連結具離脱状態の断面図、図４（ａ）は、ハーネス連結装置の要部を断面にしたカバー部操作状態の正面図、（ｂ）は、ハーネス連結装置の要部を断面にしたカバー部操作状態の断面図である。
【００１８】
図１のように、ハーネス連結装置１は、パラシュート３に用いられ、パラシュート・ハーネス５に取り付けられている。パラシュート・ハーネス５は、分離装置７、ライザー９ヲ介してパラシュート３のキャノピー部１１に接続されている。パラシュート・ハーネス５は、パラシュート装着者Ｍに装着固定され、パラシュート装着者Ｍの大腿部に対するパラシュート・ハーネス５の着脱は、ハーネス連結装置１で行われる。
【００１９】
前記ハーネス連結装置１は、金属製であり、図２〜図４のように、フック連結具１３及びタング連結具１５とからなっている。
【００２０】
フック連結具１３は、フック本体部１７とこのフック本体部１７に一体に設けられたフック部１９とフック本体部１７に回転可能に支持されたカバー部２１とを有している。
【００２１】
前記フック本体部１７は、一方のハーネスであるパラシュート・ハーネス７の連結、離脱可能とする部分に結合するものであり、ハーネス結合部２３とカバー支持部２５とを備えている。
【００２２】
ハーネス結合部２３は、カバー支持部２５よりも若干幅広に形成され、結合部ベース２７に結合部側壁２９ａ，２９ｂを備えたものである。結合部ベース２７に、ハーネス結合用の開口３１が形成されている。
【００２３】
カバー支持部２５は、支持部ベース３３に支持部側壁３５ａ，３５ｂを備えたものである。支持部ベース３３は、前記結合部ベース２７と一体であり、支持部側壁３５ａ，３５ｂは、前記結合部側壁２９ａ，２９ｂと一体である。
【００２４】
前記フック部１９は、フック本体部１７の支持部ベース３３から一体に突出し、先端部３７が、屈曲形成されている。
【００２５】
前記カバー部２１は、支持部ベース３３をカバーし、フック本体部１７に回転可能に支持され前記フック部１９に付勢係合して該フック部１９との間を開閉可能に閉じるものである。このカバー部２１には、カバー・パネル３９の先端にカバー側係合舌部４１が、段部４３を介して突設されている。段部４３は、正面視で湾曲凹状に形成され、後述するタング部の形状に対応している。
【００２６】
カバー・パネル３９には、カバー側壁４５ａ，４５ｂとカバー後壁４６とが一体に形成され、カバー・パネル３９表面に操作用のノブ部４９が設けられている。カバー側壁４５ａ，４５ｂは、支持部側壁３５ａ，３５ｂの内側に対向配置され、支持部側壁３５ａ，３５ｂに固定されたピン４７ａ，４７ｂにより回転自在に支持されている。
【００２７】
前記タング連結具１５は、他方のハーネスであるパラシュート・ハーネス７の連結、離脱可能とする部分に結合するものであり、タング本体部５１の先端に前記フック部１９に係合させるタング部５３を備えている。タング本体部５１は、タング本体ベース５５にタング本体側壁５７ａ，５７ｂを一体に備えたものである。タング本体ベース５５に、ハーネス結合用の開口５９が形成されている。開口５９には、ハーネスを係止する係止ロッド６０が設けられている。タング部５３は、タング・パネル６１に開口６３が形成されたものであり、タング・パネル６１は、先端が平面視で湾曲凸状に形成され、基端がタング本体ベース５５と一体である。タング・パネル６１の先端の湾曲凸状は、前記段部４３の湾曲凹状と同一の曲率に設定されている。
【００２８】
かかるハーネス連結装置１は、前記フック部１９に係合させたタング部１５の離脱を前記カバー部２１により阻止するものであって、図３，図４のように、フック本体部１７とカバー部２１との間に、前記カバー部２１のフック部１９に対する閉じ位置での回転をロックすると共にカバー部２１の前記回転とは異なった移動操作でロック解除可能なロック機構６５が設けられている。
［ロック機構］
前記ロック機構６５は、移動構造としての長穴６７ａ，６７ｂ及び前記ピン４７ａ，４７ｂと係止部としての突部６９ａ，６９ｂと係止解除部としての凹部７１ａ，７１ｂとを備えている。
【００２９】
前記長穴６７ａ，６７ｂ及びピン４７ａ，４７ｂは、前記カバー部２１を、前記閉じ位置から付勢力に抗しロック解除位置へ移動可能に支持するものであり、ピン４７ａ，４７ｂが前記のようにフック本体部１７の支持部側壁３５ａ，３５ｂに固定されているのに対し、長穴６７ａ，６７ｂは、カバー側壁４５ａ，４５ｂに形成され、ピン４７ａ，４７ｂに嵌合している。長穴６７ａ，６７ｂの長手方向は、カバー・パネル３９の面方向に沿っている。
【００３０】
前記突部６９ａ，６９ｂは、フック本体部１７に形成され前記閉じ位置で本実施例の他方であるカバー部２１に係合し前記フック本体部１７に対するカバー部２１の回転を阻止するものであり、支持部側壁３５ａ，３５ｂの内面側へ突出するように設けられている。カバー部２１の閉じ位置でカバー側壁４５ａ，４５ｂの縁部に係合し、カバー部２１のピン４７ａ，４７ｂを中心とした回転を阻止する。
【００３１】
前記凹部７１ａ，７１ｂは、カバー部２１に形成され前記カバー部２１のロック解除位置で前記突部６９ａ，６９ｂの係合を解除して前記フック本体部１７に対するカバー部２１の回転を許容するものである。この凹部７１ａ，７１ｂは、段部４３に隣接してカバー側壁４５ａ，４５ｂの縁部に形成されている。カバー部２１の閉じ位置で、凹部７１ａ，７１ｂは突部６９ａ，６９ｂよりもフック部１９側に位置する。
【００３２】
前記カバー部２１をフック部１９に対し付勢係合させる付勢力と前記カバー部２１の前記ロック解除位置への移動に抗する付勢力とを共通の弾性部材である一対のトルク・スプリング７３ａ，７３ｂにより発生させる。
【００３３】
トルク・スプリング７３ａ，７３ｂは、前記カバー部２１の回転軸であるピン４７ａ，４７ｂに取り付けられている。トルク・スプリング７３ａ，７３ｂの各一方のアーム部７３ａａ，７３ｂａは、前記フック本体部１７の支持部ベース３３に前記回転方向に係合し、他方のアーム部７３ａｂ，７３ｂｂは、相互に結合されて該結合部７５が前記カバー部２１の段部４３内側面で前記回転方向及びロック解除位置への移動方向に抗する２方向に係合している。
【００３４】
前記カバー部２１の操作で長穴６７ａ，６７ｂ及びピン４７ａ，４７ｂのガイドによりロック解除位置へ移動させるとき前記他方のアーム部７３ａｂ，７３ｂｂの図４（ａ）のような湾曲弾性変形により前記ロック解除位置への移動に抗する付勢力を発生させる。
［連結・離脱］
図３のように、フック連結具１３からタング連結具１５を離脱させた自由状態では、トルク・スプリング７３ａ，７３ｂのアーム部７３ａｂ，７３ｂｂが湾曲弾性変形前であり、カバー部２１の段部４３に係合する結合部７５によりカバー部２１がフック部１９の先端部３７に対して位置決められる。同時に、トルク・スプリング７３ａ，７３ｂのアーム部７３ａａ，７３ｂａとアーム部７３ａｂ，７３ｂｂとが支持部ベース３３とカバー・パネル３９との間で弾発し、カバー部２１がピン４７ａ，４７ｂを中心にカバー支持部２５に対して回転付勢される。
【００３５】
この結果、カバー部２１のカバー側係合舌部４１がフック部１９の先端部３７に付勢係合により弾接する。
【００３６】
この状態からタング連結具１５をフック連結具１３に連結する。
【００３７】
この場合、カバー部２１の前記回転とは異なった移動操作でロック機構６５によるロックを解除する。カバー部２１のロック解除のための移動操作は、２通りある。
［タング連結具による操作］
先ず、タング連結具１５により操作する場合は、タング連結具１５のタング・パネル６１を図３のようにカバー部２１の段部４３に対向させ、そのままタング・パネル６１の先端で段部４３を押し込める。この押し込め力によりカバー部２１が長穴６７ａ，６７ｂでカバー支持部２５のピン４７ａ，４７ｂに対して相対的に移動し、カバー部２１の位置が支持部ベース３３に沿った方向でフック部１９の先端部３７に対し僅かに後退する。この後退時には、トルク・スプリング７３ａ，７３ｂの結合部７５が押圧され、アーム部７３ａｂ，７３ｂｂがピン４７ａ，４７ｂとの間で湾曲弾性変形し、弾発力を発生させる。
【００３８】
この後退によりカバー部２１がロック解除位置へ移動し、カバー部２１の凹部７１ａ，７１ｂがカバー支持部２５の突部６９ａ，６９ｂに対向する。
【００３９】
タング連結具１５によりカバー部２１をさらに押し込めると、突部６９ａ，６９ｂに対して凹部７１ａ，７１ｂが嵌合移動し、図４のようにカバー部２１がピン４７ａ，４７ｂを中心に回転し、フック部１９の先端部３７を開く。
【００４０】
このとき、タング連結具１５のタング・パネル６１が当接しているカバー側係合舌部４１は、図３のように傾斜するため、タング・パネル６１をフック部１９の先端部３７内側へ容易に引き込むことができる。
【００４１】
カバー側係合舌部４１からタング・パネル６１が外れると、トルク・スプリング７３ａ，７３ｂのアーム部７３ａｂ，７３ｂｂの湾曲弾性変形の戻りによりカバー部２１がロック位置へ向けて付勢される。同時にアーム部７３ａａ，７３ｂａとアーム部７３ａｂ，７３ｂｂとが支持部ベース３３とカバー・パネル３９との間で弾発しカバー部２１が回転方向へ付勢される。これらの付勢によりカバー部２１がピン４７ａ，４７ｂを中心にカバー支持部２５に対してロック位置へ移動すると同時に回転し、図１のようにカバー側係合舌部４１がフック部１９の先端部３７に付勢係合し、フック部１９がカバー部２１により閉じられる。
【００４２】
この閉じ状態でカバー部２１に回転させるような押圧方向の外力が働いても、カバー部２１のカバー側壁４５ａ，４５ｂが支持部側壁３５ａ，３５ｂの突部６９ａ，６９ｂに係合ロックされているからカバー部２１のカバー支持部２５に対する回転が阻止され、カバー部２１による閉じ状態を維持させることができる。
【００４３】
［指による操作］
指により操作をする場合は、ノブ部４９に指を掛け、長穴６７ａ，６７ｂ及びピン４７ａ，４７ｂによるカバー部２１のロック解除位置への移動を行わせ、次いでノブ４９を押し込めてカバー部２１をピン４７ａ，４７ｂを中心に回転させる。
【００４４】
従って、指による操作でも、フック部１９の先端部３７を簡単に開くことができる。
【００４５】
開かれたフック部１９の先端部３７に対してタング連結具１５のタング・パネル６１を図４のように係合させ、ノブ部４９から指を離すと前記同様トルク・スプリング７３ａ，７３ｂの弾発力でカバー部２１がロック位置へ移動付勢されると共にピン４７ａ，４７ｂを中心にカバー支持部２５に対して回転付勢され、図１のようにフック部１９がカバー部２１により閉じられる。
［実施例１の効果］
本発明のハーネス連結装置１は、パラシュート・ハーネス７の連結、離脱可能とする部分の一方に結合するフック本体部１７に設けたフック部１９及び前記フック本体部１７に回転可能に支持され前記フック部１９に付勢係合して該フック部１９との間を開閉可能に閉じるカバー部２１を有したフック連結具１３と、パラシュート・ハーネス７の連結、離脱可能とする部分の他方に結合するタング本体部５１の先端に前記フック部１９に係合させるタング部５３を備えたタング連結具１５とを備え、前記フック部１９に係合させたタング部５３の離脱を前記カバー部２１により阻止するハーネス連結装置１であって、前記フック本体部１７とカバー部２１との間に、前記カバー部２１のフック部１９に対する閉じ位置での回転をロックすると共にカバー部２１の前記回転とは異なった移動操作でロック解除可能なロック機構６５を設けた。
【００４６】
このため、カバー部２１がフック部１９との間を閉じる閉じ位置ではロック機構６５によりカバー部２１の回転がロックされて、カバー部２１に不用意な力が働いてもカバー部２１は回転せず、フック部１９に対する閉じ位置を維持することができる。
【００４７】
また、カバー部２１の前記回転とは異なった移動操作でロック機構６５によるロックを解除し、カバー部２１を回転させてフック部１９との間を開き、タング連結具１５をフック連結具１３から外すことができる。
【００４８】
従って、カバー部２１の回転操作及び移動操作に抗する付勢力は、カバー部２１のフック部１９に対する閉じ位置の維持から切り離すことができ、付勢力を低減し、カバー部２１の操作を容易に行わせることもでき、掛け外しが容易となる。
【００４９】
前記ロック機構６５は、前記カバー部２１を、前記閉じ位置から付勢力に抗しロック解除位置へ移動可能に支持する長穴６７ａ，６７ｂ及びピン４７ａ，４７ｂと、前記フック本体部１７に形成され前記閉じ位置でカバー部２１のカバー側壁４５ａ，４５ｂに係合し前記フック本体部１７に対するカバー部２１の回転を阻止する突部６９ａ，６９ｂと、前記カバー部２１のカバー側壁４５ａ，４５ｂに形成され前記カバー部２１のロック解除位置で前記突部６９ａ，６９ｂの係合を解除して前記フック本体部１７に対するカバー部２１の回転を許容する凹部７１ａ，７１ｂとを備えた。
【００５０】
このため、ロック機構６５をカバー部２１の操作で確実にロック解除させることができ、簡単な操作でロックも確実に行わせることができる。
【００５１】
また、カバー部２１のロック解除の移動方向は、ラインや帯がフック部１１９の先端部３７に引っかかる場合の方向と逆であり、ラインや帯の引っかかりによりカバー部２１が移動することがなく、安全性を向上させることができる。
【００５２】
前記カバー部２１をフック部１９に対し付勢係合させる付勢力と前記カバー部２１の前記ロック解除位置への移動に抗する付勢力とを共通のトルク・スプリング７３ａ，７３ｂにより発生させる。
【００５３】
このため、構造が簡単で部品点数が少なく、組み付け、部品管理が容易となる。
【００５４】
前記トルク・スプリング７３ａ，７３ｂは、前記カバー部２１の回転軸であるピン４７ａ，４７ｂに取り付けられ、前記トルク・スプリング７３ａ，７３ｂの各一方のアーム部７３ａａ，７３ｂａは前記フック本体部１７の支持部ベース３３に前記回転方向に係合し他方のアーム部７３ａｂ，７３ｂｂは相互に一体に結合されて該結合部７５が前記カバー部２１に前記回転方向及びロック解除位置への移動方向に抗して係合し、前記カバー部２１がロック解除位置へ移動するとき前記他方のアーム部７３ａｂ，７３ｂｂの湾曲弾性変形により前記ロック解除位置への移動に抗する付勢力を発生させる。
【００５５】
このため、弾性部材の構造を簡単にしながら、カバー部２１のロック解除位置への移動に抗する弾発力を確実に発生させることができる。
【００５６】
前記カバー部２１に、前記タング連結具１５により操作可能とする段部４３を設けた。
【００５７】
このため、指によるカバー部２１の操作ができないときなどでもタング連結具１５の押し込め操作によりタング連結具１５をフック連結具１３に連結させることができる。
【実施例２】
【００５８】
図５、図６は、本発明の実施例２に係り、図５（ａ）は、（ａ）は、ハーネス連結装置の要部を断面にしたタング連結具離脱状態の正面図、（ｂ）は、ハーネス連結装置の要部を断面にしたタング連結具離脱状態の断面図、図６（ａ）は、ハーネス連結装置の要部を断面にしたカバー部操作状態の正面図、（ｂ）は、ハーネス連結装置の要部を断面にしたカバー部操作状態の断面図である。なお、基本的な構成は、実施例１と同様であり、同一又は対応する構成部分には、同符号又は同符号にＡを付して説明する。
【００５９】
図５，図６のように、本実施例のハーネス連結装置１Ａは、実施例１のロック機構６５の一体のトルク・スプリング７３ａ、７３ｂに代えて、左右別体のトルク・スプリング７３ａＡ、７３ｂＡを備えたロック機構６５Ａとしたものである。
【００６０】
アーム部７３ａｂＡ，７３ｂｂＡは、平面から見てＵ字状に湾曲形成され、Ｕ字状の先端が、前記カバー部２１の段部４３内側面で前記回転方向及びロック解除位置への移動方向に抗する２方向に係合している。
【００６１】
図５のように、フック連結具１３からタング連結具１５を離脱させた自由状態では、トルク・スプリング７３ａＡ，７３ｂＡのアーム部７３ａｂＡ，７３ｂｂＡが弾性変形前であり、カバー部２１の段部４３に係合する結合部７５によりカバー部２１がフック部１９の先端部３７に対して位置決められる。同時に、トルク・スプリング７３ａＡ，７３ｂＡのアーム部７３ａａＡ，７３ｂａＡとアーム部７３ａｂＡ，７３ｂｂＡとが支持部ベース３３とカバー・パネル３９との間で弾発し、カバー部２１がピン４７ａ，４７ｂを中心にカバー支持部２５に対して回転付勢される。
【００６２】
この結果、カバー部２１のカバー側係合舌部４１がフック部１９の先端部３７に付勢係合により弾接する。
【００６３】
この状態からタング連結具１５をフック連結具１３に連結する。
【００６４】
この場合、カバー部２１の前記回転とは異なった移動操作でロック機構６５によるロックを解除する。カバー部２１のロック解除のための移動操作は、実施例１と同様に２通りある。
【００６５】
何れの場合も、カバー部２１の解除操作が行われると、トルク・スプリング７３ａＡ，７３ｂＡのアーム部７３ａｂＡ，７３ｂｂＡが段部４３の内側面に押されてＵ字を潰す方向に弾性変形すると共にカバー部２１のカバー・パネル３９に対し回転に抗する付勢力を与える。
【００６６】
従って、本実施例でも、実施例１と同様な作用効果を奏することができる。
【００６７】
また、本実施例では、トルク・スプリング７３ａＡ，７３ｂＡのアーム部７３ａｂＡ，７３ｂｂＡが別構成であるため、回転方向と前後方向（カバー部２１スライド方向）のスプリング弾性力のバランスがとり易く、動作を確実に行わせることができる。
【００６８】
さらに、アーム部７３ａｂＡ，７３ｂｂＡがＵ字状に湾曲形成されているため、段部４３の内側面に対して確実な弾発力を発生させることができると共に、カバー部２１を確実に付勢することができる。
［その他］
前記カバー部２１をフック部１９に対し付勢係合させる付勢力と前記カバー部２１の前記ロック解除位置への移動に抗する付勢力とを別構成の弾性部材により別個に発生させる構成にすることもできる。
【００６９】
前記突部６９ａ，６９ｂをカバー部２１のカバー側壁４５ａ，４５ｂに形成し、前記凹部７１ａ，７１ｂをフック本体部１７の支持部側壁３５ａ，３５ｂに形成することもできる。
【００７０】
前記ハーネス連結装置１は、パラシュート以外にも適用することができる。
【図面の簡単な説明】
【００７１】
【図１】ハーネス連結装置を適用したパラシュートを人に装着した状態の概略図である。（実施例１）
【図２】（ａ）は、ハーネス連結装置の正面図、（ｂ）は、ハーネス連結装置の側面図である。（実施例１）
【図３】（ａ）は、ハーネス連結装置の要部を断面にしたタング連結具離脱状態の正面図、（ｂ）は、ハーネス連結装置の要部を断面にしたタング連結具離脱状態の断面図である。（実施例１）
【図４】（ａ）は、ハーネス連結装置の要部を断面にしたカバー部操作状態の正面図、（ｂ）は、ハーネス連結装置の要部を断面にしたカバー部操作状態の断面図である。（実施例１）
【図５】（ａ）は、ハーネス連結装置の要部を断面にしたタング連結具離脱状態の正面図、（ｂ）は、ハーネス連結装置の要部を断面にしたタング連結具離脱状態の断面図である。（実施例２）
【図６】（ａ）は、ハーネス連結装置の要部を断面にしたカバー部操作状態の正面図、（ｂ）は、ハーネス連結装置の要部を断面にしたカバー部操作状態の断面図である。（実施例２）
【図７】ハーネス連結装置を示す正面図である。（従来例）
【符号の説明】
【００７２】
１，１Ａ  ハーネス連結装置
３  パラシュート
５  パラシュート・ハーネス（ハーネス）
１３  フック連結具
１５  タング連結具
１７  フック本体部
１９  フック部
２１  カバー部
４３  段部
４７ａ，４７  ピン（回転軸）
５１  タング本体部
５３  タング部
６５，６５Ａ  ロック機構
６７ａ，６７ｂ  長穴
６９ａ，６９ｂ  突部
７３ａ，７３ｂ，７３ａＡ，７３ｂＡ  トルク・スプリング（弾性部材）
７３ａａ，７３ｂａ、７３ａｂ，７３ｂｂ，７３ａａＡ，７３ｂａＡ、７３ａｂＡ，７３ｂｂＡ  アーム部
７５  結合部
Ｍ  パラシュート装着者
【図１】
2009286352.tif 000003
【図２】
2009286352.tif 000004
【図３】
2009286352.tif 000005
【図４】
2009286352.tif 000006
【図５】
2009286352.tif 000007
【図６】
2009286352.tif 000008
【図７】
2009286352.tif 000009